【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
動画像処理方法であって、
現在画像ブロックの予め設定されたＭ個の近傍ブロックのうち、Ｍよりも小さいＮ個の近傍ブロックを順次走査し、走査結果に基づき対象近傍ブロックを確定することと、
前記対象近傍ブロックの動きベクトル、前記現在画像ブロック、および前記現在画像ブロックの参照画像に基づき、前記現在画像ブロックの関連ブロックを確定することと、
前記現在画像ブロックと前記関連ブロックを同じ方法で複数のサブ画像ブロックに分割し、前記現在画像ブロック中の各サブ画像ブロックは、前記関連ブロック中の各サブ画像ブロックと１対１に対応させることと、
前記関連ブロック中の各サブ画像ブロックの動きベクトルに基づき、前記現在画像ブロック中の対応するサブ画像ブロックをそれぞれ予測することとを含む、動画像処理方法。
【請求項２】
Ｎは１または２に等しい、請求項１に記載の動画像処理方法。
【請求項３】
前記関連ブロック中の各サブ画像ブロックの動きベクトルに基づきそれぞれ前記現在画像ブロック中の対応するサブ画像ブロックを予測する前に、
前記関連ブロックの代表動きベクトルを候補として動きベクトル第１候補リストに入れることと、
前記候補を採用すると確定した場合、前記関連ブロック中の各サブ画像ブロックの動きベクトルに基づき、前記現在画像ブロック中の対応するサブ画像ブロックをそれぞれ予測することとをさらに含むことを特徴する請求項１または２に記載の動画像処理方法。
【請求項４】
前記関連ブロック中の各サブ画像ブロックの動きベクトルに基づき、前記現在画像ブロック中の対応するサブ画像ブロックをそれぞれ予測することは、
前記関連ブロック中の各サブ画像ブロックの動きベクトルを、それぞれ前記現在画像ブロック中の対応するサブ画像ブロックの動きベクトルとすることを含む、請求項３に記載の動画像処理方法。
【請求項５】
前記関連ブロックの代表動きベクトルを１つ目の候補として動きベクトル第１候補リストに入れる、請求項３に記載の動画像処理方法。
【請求項６】
前記関連ブロックの代表動きベクトルは前記関連ブロックの中央位置の動きベクトルを含む、請求項３に記載の動画像処理方法。
【請求項７】
前記関連ブロック中に動きベクトルが取得不可なサブ画像ブロックが出た場合、前記関連ブロックの代表動きベクトルを前記動きベクトルが取得不可なサブ画像ブロックの動きベクトルとし、前記現在画像ブロック中の対応するサブ画像ブロックを予測することをさらに含む、請求項３に記載の動画像処理方法。
【請求項８】
前記関連ブロック中に動きベクトルが取得不可なサブ画像ブロックが出ており、かつ前記関連ブロックの代表動きベクトルが取得不可な場合、前記関連ブロック中の各サブ画像ブロックの動きベクトルに基づき前記現在画像ブロック中の対応するサブ画像ブロックをそれぞれ予測することを放棄することをさらに含む、請求項７に記載の動画像処理方法。
【請求項９】
前記関連ブロック中のサブ画像ブロックが取得不可であり、または関連ブロック中のサブ画像ブロックがフレーム内符号化モードを用いる場合、前記関連ブロック中に動きベクトルが取得不可なサブ画像ブロックが出たことを確定する、請求項８に記載の動画像処理方法。
【請求項１０】
他の候補を確定し、前記他の候補を前記動きベクトル第１候補リストに入れることをさらに含み、前記他の候補中の少なくとも１つの候補はサブ画像ブロックの動きベクトルを含む、請求項３に記載の動画像処理方法。
【請求項１１】
前記他の候補のうちの１つの候補を採用することを確定した場合、前記採用した候補に基づき前記現在画像ブロック中のサブ画像ブロックの動きベクトルを確定することをさらに含む、請求項１０に記載の動画像処理方法。
【請求項１２】
前記少なくとも１つの候補は一組のコントロールポイントの動きベクトルを含む、請求項１０または１１に記載の動画像処理方法。
【請求項１３】
前記少なくとも１つの候補中の候補を採用することを確定する場合、アフィン変換モデルに基づき前記採用した候補にアフィン変換を行うことと、
前記アフィン変換後の候補に基づき前記現在画像ブロック中のサブ画像ブロックを予測することとをさらに含む、請求項１０〜１２のいずれか一項に記載の動画像処理方法。
【請求項１４】
前記アフィン変換モデルは４パラメータアフィン変換モデルを含む場合、前記少なくとも１つの候補において、各候補は２つのコントロールポイントの動きベクトルを含み、
前記アフィン変換モデルは６パラメータアフィン変換モデルを含む場合、前記少なくとも１つの候補において、各候補は３つのコントロールポイントの動きベクトルを含む、請求項１３に記載の動画像処理方法。
【請求項１５】
前記現在画像ブロックの近傍ブロックから、特定走査順でアフィン変換モードを採用して予測を行う近傍ブロックのコントロールポイント動きベクトル群を確定することと、
それぞれの確定された近傍ブロックのコントロールポイント動きベクトル群を１つの候補として前記動きベクトル第１候補リストに入れることとをさらに含む、請求項３〜１４のいずれか一項に記載の動画像処理方法。
【請求項１６】
前記現在画像ブロックの近傍ブロックから、特定走査順でアフィン変換モードを採用して予測を行う近傍ブロックのコントロールポイント動きベクトル群を確定することは、
前記現在画像ブロックの左側近傍ブロックにおいて第１走査順で第１近傍ブロックのコントロールポイントの動きベクトル群を確定することと、
前記現在画像ブロックの上側近傍ブロックにおいて第２走査順で第２近傍ブロックのコントロールポイントの動きベクトル群を確定することと、
前記第１近傍ブロックのコントロールポイントの動きベクトル群と前記第２近傍ブロックのコントロールポイントの動きベクトル群を前記動きベクトルの第１候補リストに入れることと、を含む、請求項１５に記載の動画像処理方法。
【請求項１７】
前記現在画像ブロックの一部のコントロールポイントの近傍ブロックに基づき前記一部のコントロールポイントの動きベクトルを構築することと、
前記現在画像ブロックの一部のコントロールポイントの動きベクトルを前記動きベクトル第１候補リストに入れることとをさらに含む、請求項３〜１４のいずれか一項に記載の動画像処理方法。
【請求項１８】
前記現在画像ブロックの一部のコントロールポイントの近傍ブロックに基づき前記一部のコントロールポイントの動きベクトルを構築することは、
前記一部のコントロールポイントにおける各コントロールポイントに対し、第３走査順で前記コントロールポイントの特定近傍ブロックを順次走査し、事前設定条件を満たす特定近傍ブロックの動きベクトルを前記コントロールポイントの動きベクトルとすることを含む請求項１７に記載の動画像処理方法。
【請求項１９】
前記一部のコントロールポイントの動きベクトルがそれぞれ異なる参照フレームを指す時、前記現在画像ブロックの一部のコントロールポイントの動きベクトルを前記動きベクトル第１候補リストに入れることを放棄することをさらに含む、請求項１７または１８に記載の動画像処理方法。
【請求項２０】
前記動きベクトル第１候補リスト中の候補の数量が予め設定された数値より大きい時、前記現在画像ブロックの一部のコントロールポイントの動きベクトルを前記動きベクトル第１候補リストに入れることを放棄することをさらに含む、請求項１７または１８に記載の動画像処理方法。
【請求項２１】
動きベクトル第２候補リストを構築し、前記動きベクトル第２候補リストに入れる候補は１つの画像ブロックの動きベクトルであり、
前記動きベクトル第２候補リスト中の候補を採用することを確定した場合、前記候補の動きベクトルに基づき前記現在画像ブロックの動きベクトルを確定することをさらに含む、請求項３〜１５のいずれか一項に記載の動画像処理方法。
【請求項２２】
前記候補の動きベクトルに基づき前記現在画像ブロックの動きベクトルを確定することは、
採用することを確定した候補を前記現在画像ブロックの動きベクトルとし、または前記採用することを確定した候補をスケーリングした後に前記現在画像ブロックの動きベクトルとすることを含む、請求項２１に記載の動画像処理方法。
【請求項２３】
前記動きベクトル第２候補リストを構築することは、
前記現在画像ブロックの現在画像での複数の近傍ブロックの動きベクトルに基づき前記動きベクトル第２候補リストに入れる候補を確定することを含む、請求項２１に記載の動画像処理方法。
【請求項２４】
前記現在画像ブロックの現在画像での複数の近傍ブロックは予め設定されたＭ個の近傍ブロックを含む、請求項２３に記載の動画像処理方法。
【請求項２５】
予め設定された順で順に前記予め設定されたＭ個の近傍ブロックの動きベクトルをそれぞれＭ個の候補として、前記動きベクトル第２候補リストに入れ、
前記Ｎ個の近傍ブロックとは、前記予め設定された順で最初に確定されたＮ個の近傍ブロックを指す、請求項２４に記載の動画像処理方法。
【請求項２６】
前記Ｍ個の近傍ブロックのうちの１つのまたは複数の近傍ブロックの動きベクトルが取得不可である場合、前記１つのまたは複数の近傍ブロックの動きベクトルに基づき前記動きベクトル第２候補リストに入れる候補を確定することを放棄することをさらに含む、請求項２４に記載の動画像処理方法。
【請求項２７】
前記Ｍ個の近傍ブロックのうちのＮ個の近傍ブロックを順次走査し、走査結果に基づき対象近傍ブロックを確定することは、
前記Ｎ個の近傍ブロックを順次走査し、１つ目の事前設定条件に符合する近傍ブロックまで走査すると、走査を停止し、かつ前記走査した１つ目の事前設定条件に符合する近傍ブロックに基づき対象近傍ブロックを確定することを含む、請求項１または２６に記載の動画像処理方法。
【請求項２８】
前記走査した前記１つ目の事前設定条件に符合する近傍ブロックに基づき対象近傍ブロックを確定することは、
前記１つ目の事前設定条件に符合する近傍ブロックを前記対象近傍ブロックとすることを含む、請求項２７に記載の動画像処理方法。
【請求項２９】
前記事前設定条件は、
近傍ブロックの参照画像と前記現在画像ブロックの参照画像が同じであることを含む、請求項１８または２８に記載の動画像処理方法。
【請求項３０】
前記Ｎ個の近傍ブロック中に前記事前設定条件に符合する近傍ブロックが走査されていない場合、前記Ｍ個の近傍ブロック中の特定近傍ブロックの動きベクトルにスケーリング処理を行い、前記スケーリング処理後の動きベクトルに基づき前記現在画像ブロックを予測することをさらに含む、請求項２７〜２９のいずれか一項に記載の動画像処理方法。
【請求項３１】
前記スケーリング処理後の動きベクトルに基づき前記現在画像ブロックを予測することは、
前記スケーリング処理後の動きベクトルと前記現在画像ブロックの参照画像に基づき前記現在画像ブロックの参照ブロックを確定することを含む、請求項３０に記載の動画像処理方法。
【請求項３２】
前記特定近傍ブロックは前記Ｎ個の近傍ブロックのうち、走査順で得られた１つ目の近傍ブロックまたは最後の近傍ブロックである、請求項３０に記載の動画像処理方法。
【請求項３３】
前記Ｍ個の近傍ブロック中の特定近傍ブロックの動きベクトルにスケーリング処理を行い、前記スケーリング処理後の動きベクトルに基づき前記現在画像ブロックを予測することは、
前記特定近傍ブロックの動きベクトルにスケーリング処理を行って、前記スケーリング処理後の動きベクトルが指す参照フレームが前記現在画像ブロックの参照画像と同じになるようにすることと、
前記スケーリング処理後の動きベクトルの前記現在画像ブロックの参照画像中で指す画像ブロックを前記現在画像ブロックの参照ブロックとすることとを含む、請求項３０に記載の動画像処理方法。
【請求項３４】
前記Ｎ個の近傍ブロック中に前記事前設定条件に符合する近傍ブロックが走査されていない場合、デフォルトブロックを前記現在画像ブロックの参照ブロックとすることをさらに含む、請求項２７〜３０のいずれか一項に記載の動画像処理方法。
【請求項３５】
前記デフォルトブロックは動きベクトル（０，０）が指す画像ブロックである、請求項３４に記載の動画像処理方法。
【請求項３６】
前記サブ画像ブロックのサイズおよび／または前記サブ画像ブロックの関連ブロックのサイズは６４以上の画素に固定される、請求項１〜３５のいずれか一項に記載の動画像処理方法。
【請求項３７】
前記サブ画像ブロックのサイズおよび／または前記サブ画像ブロックの関連ブロックのサイズは８×８画素、または１６×４画素または４×１６画素に固定される、請求項３６に記載の動画像処理方法。
【請求項３８】
現在画像ブロックは１つの符号化ユニットＣＵである、請求項１〜３７のいずれか一項に記載の動画像処理方法。
【請求項３９】
前記対象近傍ブロックの動きベクトル、前記現在画像ブロックおよび前記現在画像ブロックの参照画像に基づき、前記現在画像ブロックの関連ブロックを確定することは、
前記対象近傍ブロックの動きベクトル、前記現在画像ブロックの参照画像において、前記現在画像ブロックの関連ブロックを確定することを含む、請求項１〜３８のいずれか一項に記載の動画像処理方法。
【請求項４０】
前記近傍ブロックは現在画像において前記現在画像ブロックの位置に隣接しまたはある位置ピッチを有する画像ブロックである、請求項１〜３９のいずれか一項に記載の動画像処理方法。
【請求項４１】
前記関連ブロックの動きベクトルに基づき前記現在画像ブロックを予測することは、
前記関連ブロックの参照画像が特定参照画像、または現在画像ブロックの参照画像が特定参照画像である時、処理後の前記関連ブロックの動きベクトルと前記現在画像ブロックの参照画像に基づき現在画像ブロックの参照ブロックを確定することを含み、
前記処理後の前記関連ブロックの動きベクトルと処理前の関連ブロックの動きベクトルは同じである、請求項１〜４０のいずれか一項に記載の動画像処理方法。
【請求項４２】
前記処理後の前記関連ブロックの動きベクトルは、
数値が１の縮尺で前記関連ブロックの動きベクトルをスケーリングした後に得られた動きベクトル、または、
スケーリングステップをスキップした前記関連ブロックの動きベクトルを含む、請求項４１に記載の動画像処理方法。
【請求項４３】
前記関連ブロックの動きベクトルに基づき前記現在画像ブロックを予測することは、
前記関連ブロックの参照画像が特定参照画像、または現在のブロックの参照画像が特定参照画像である場合、前記関連ブロックの動きベクトルに基づき現在画像ブロックの参照ブロックを確定することを放棄することを含む、請求項１〜４０のいずれか一項に記載の動画像処理方法。
【請求項４４】
前記近傍ブロックの動きベクトルが特定参照画像を指し、または現在画像ブロックの参照画像が特定参照画像である場合、処理後の前記関連ブロックの動きベクトルと前記現在画像ブロックの参照画像に基づき現在画像ブロックの参照ブロックを確定することをさらに含み、
前記処理後の前記関連ブロックの動きベクトルと処理前の関連ブロックの動きベクトルは同じである、請求項１〜４３のいずれか一項に記載の動画像処理方法。
【請求項４５】
前記処理後の前記関連ブロックの動きベクトルは、
数値が１の縮尺で前記関連ブロックの動きベクトルをスケーリングした後に得られた動きベクトル、または、
スケーリングステップをスキップした前記関連ブロックの動きベクトルを含む、請求項４４に記載の動画像処理方法。
【請求項４６】
Ｍは４以下である、請求項１〜４５のいずれか一項に記載の動画像処理方法。
【請求項４７】
動画像処理装置であって、メモリとプロセッサを含み、前記メモリは命令を記憶するために用いられ、前記プロセッサは前記メモリに記憶された命令を実行し、前記メモリに記憶された命令を実行することによって、前記プロセッサは請求項１〜４６のいずれか一項に記載の動画像処理方法を実行するために用いられる、動画像処理装置。
【請求項４８】
コンピュータ記憶媒体であって、それにコンピュータプログラムが記憶され、前記コンピュータプログラムはコンピュータに実行されると、前記コンピュータに請求項１〜４６のいずれか一項に記載の動画像処理方法を実行させる、コンピュータ記憶媒体。
【請求項４９】
命令を含むコンピュータプログラムであって、前記命令がコンピュータに実行されると、コンピュータに請求項１〜４６のいずれか一項に記載の動画像処理方法を実行させる、コンピュータプログラム。
【手続補正２】
【補正対象書類名】明細書
【補正対象項目名】発明の名称
【補正方法】変更
【補正の内容】
【発明の名称】動画像処理方法、動画像処理装置、コンピュータ記録媒体、及びコンピュータプログラム
【手続補正３】
【補正対象書類名】明細書
【補正対象項目名】０４９５
【補正方法】変更
【補正の内容】
【０４９５】
以上のように、本出願の発明を実施するための形態にすぎず、本出願の保護範囲は、これに限定されるものではなく、当業者であれば、本出願において開示されている技術範囲内において、容易に変更又は交換を行うことができるものであれば、本出願の保護範囲内に含まれるものである。したがって、本出願の保護範囲は、特許請求の範囲に準じるものとする。
［項目１］
動画像処理方法であって、
現在画像ブロックの予め設定されたＭ個の近傍ブロックのうち、Ｍよりも小さいＮ個の近傍ブロックを順次走査し、走査結果に基づき対象近傍ブロックを確定することと、
上記対象近傍ブロックの動きベクトル、上記現在画像ブロック、および上記現在画像ブロックの参照画像に基づき、上記現在画像ブロックの関連ブロックを確定することと、
上記現在画像ブロックと上記関連ブロックを同じ方法で複数のサブ画像ブロックに分割し、上記現在画像ブロック中の各サブ画像ブロックは、上記関連ブロック中の各サブ画像ブロックと１対１に対応させることと、
上記関連ブロック中の各サブ画像ブロックの動きベクトルに基づき、上記現在画像ブロック中の対応するサブ画像ブロックをそれぞれ予測することとを含む、動画像処理方法。
［項目２］
Ｎは１または２に等しい、項目１に記載の方法。
［項目３］
上記の上記関連ブロック中の各サブ画像ブロックの動きベクトルに基づきそれぞれ上記現在画像ブロック中の対応するサブ画像ブロックを予測する前に、
上記関連ブロックの代表動きベクトルを候補として動きベクトル第１候補リストに入れることと、
上記候補を採用すると確定した場合、上記関連ブロック中の各サブ画像ブロックの動きベクトルに基づき、上記現在画像ブロック中の対応するサブ画像ブロックをそれぞれ予測することとをさらに含むことを特徴する項目１または２に記載の方法。
［項目４］
上記の上記関連ブロック中の各サブ画像ブロックの動きベクトルに基づき、上記現在画像ブロック中の対応するサブ画像ブロックをそれぞれ予測することは、
上記関連ブロック中の各サブ画像ブロックの動きベクトルを、それぞれ上記現在画像ブロック中の対応するサブ画像ブロックの動きベクトルとすることを含む、項目３に記載の方法。
［項目５］
上記関連ブロックの代表動きベクトルを１つ目の候補として動きベクトル第１候補リストに入れる、項目３に記載の方法。
［項目６］
上記関連ブロックの代表動きベクトルは上記関連ブロックの中央位置の動きベクトルを含む、項目３に記載の方法。
［項目７］
上記方法は、
上記関連ブロック中に動きベクトルが取得不可なサブ画像ブロックが出た場合、上記関連ブロックの代表動きベクトルを上記動きベクトルが取得不可なサブ画像ブロックの動きベクトルとし、上記現在画像ブロック中の対応するサブ画像ブロックを予測することをさらに含む、項目３に記載の方法。
［項目８］
上記方法は、
上記関連ブロック中に動きベクトルが取得不可なサブ画像ブロックが出ており、かつ上記関連ブロックの代表動きベクトルが取得不可な場合、上記関連ブロック中の各サブ画像ブロックの動きベクトルに基づき上記現在画像ブロック中の対応するサブ画像ブロックをそれぞれ予測することを放棄することをさらに含む、項目７に記載の方法。
［項目９］
上記関連ブロック中のサブ画像ブロックが取得不可であり、または関連ブロック中のサブ画像ブロックがフレーム内符号化モードを用いる場合、上記関連ブロック中に動きベクトルが取得不可なサブ画像ブロックが出たことを確定する、項目８に記載の方法。
［項目１０］
上記方法は、
他の候補を確定し、上記他の候補を上記動きベクトル第１候補リストに入れることをさらに含み、上記他の候補中の少なくとも１つの候補はサブ画像ブロックの動きベクトルを含む、項目３に記載の方法。
［項目１１］
上記方法は、
上記他の候補のうちの１つの候補を採用することを確定した場合、上記採用した候補に基づき上記現在画像ブロック中のサブ画像ブロックの動きベクトルを確定することをさらに含む、項目１０に記載の方法。
［項目１２］
上記少なくとも１つの候補は一組のコントロールポイントの動きベクトルを含む、項目１０または１１に記載の方法。
［項目１３］
上記方法は、
上記少なくとも１つの候補中の候補を採用することを確定する場合、アフィン変換モデルに基づき上記採用した候補にアフィン変換を行うことと、
上記アフィン変換後の候補に基づき上記現在画像ブロック中のサブ画像ブロックを予測することとをさらに含む、項目１０〜１２のいずれか一項に記載の方法。
［項目１４］
上記アフィン変換モデルは４パラメータアフィン変換モデルを含む場合、上記少なくとも１つの候補において、各候補は２つのコントロールポイントの動きベクトルを含み、
上記アフィン変換モデルは６パラメータアフィン変換モデルを含む場合、上記少なくとも１つの候補において、各候補は３つのコントロールポイントの動きベクトルを含む、項目１３に記載の方法。
［項目１５］
上記方法は、
上記現在画像ブロックの近傍ブロックから、特定走査順でアフィン変換モードを採用して予測を行う近傍ブロックのコントロールポイント動きベクトル群を確定することと、
それぞれの確定された近傍ブロックのコントロールポイント動きベクトル群を１つの候補として上記動きベクトル第１候補リストに入れることとをさらに含む、項目３〜１４のいずれか一項に記載の方法。
［項目１６］
上記の上記現在画像ブロックの近傍ブロックから、特定走査順でアフィン変換モードを採用して予測を行う近傍ブロックのコントロールポイント動きベクトル群を確定することは、
上記現在の画像ブロックの左側近傍ブロックにおいて第１走査順で第１近傍ブロックのコントロールポイントの動きベクトル群を確定することと、
上記現在の画像ブロックの上側近傍ブロックにおいて第２走査順で第２近傍ブロックのコントロールポイントの動きベクトル群を確定することと、
上記第１近傍ブロックのコントロールポイントの動きベクトル群と上記第２近傍ブロックのコントロールポイントの動きベクトル群を上記動きベクトルの第１候補リストに入れることと、を含む、項目１５に記載の方法。
［項目１７］
上記方法は、
上記現在画像ブロックの一部のコントロールポイントの近傍ブロックに基づき上記一部のコントロールポイントの動きベクトルを構築することと、
上記現在画像ブロックの一部のコントロールポイントの動きベクトルを上記動きベクトル第１候補リストに入れることとをさらに含む、項目３〜１４のいずれか一項に記載の方法。
［項目１８］
上記の上記現在画像ブロックの一部のコントロールポイントの近傍ブロックに基づき上記一部のコントロールポイントの動きベクトルを構築することは、
上記一部のコントロールポイントにおける各コントロールポイントに対し、第３走査順で上記コントロールポイントの特定近傍ブロックを順次走査し、事前設定条件を満たす特定近傍ブロックの動きベクトルを上記コントロールポイントの動きベクトルとすることを含む項目１７に記載の方法。
［項目１９］
上記方法は、
上記一部のコントロールポイントの動きベクトルがそれぞれ異なる参照フレームを指す時、上記現在画像ブロックの一部のコントロールポイントの動きベクトルを上記動きベクトル第１候補リストに入れることを放棄することをさらに含む、項目１７または１８に記載の方法。
［項目２０］
上記方法は、
上記動きベクトル第１候補リスト中の候補の数量が予め設定された数値より大きい時、上記現在画像ブロックの一部のコントロールポイントの動きベクトルを上記動きベクトル第１候補リストに入れることを放棄することをさらに含む、項目１７または１８に記載の方法。
［項目２１］
上記方法は、
動きベクトル第２候補リストを構築し、上記動きベクトル第２候補リストに入れる候補は１つの画像ブロックの動きベクトルであり、
上記動きベクトル第２候補リスト中の候補を採用することを確定した場合、上記候補の動きベクトルに基づき上記現在画像ブロックの動きベクトルを確定することをさらに含む、項目３〜１５のいずれか一項に記載方法。
［項目２２］
上記の上記候補の動きベクトルに基づき上記現在画像ブロックの動きベクトルを確定することは、
上記の採用することを確定した候補を上記現在画像ブロックの動きベクトルとし、または上記採用することを確定した候補をスケーリングした後に上記現在画像ブロックの動きベクトルとすることを含む、項目２１に記載の方法。
［項目２３］
上記の動きベクトル第２候補リストを構築することは、
上記現在画像ブロックの現在画像での複数の近傍ブロックの動きベクトルに基づき上記動きベクトル第２候補リストに入れる候補を確定することを含む、項目２１に記載の方法。
［項目２４］
上記現在画像ブロックの現在画像での複数の近傍ブロックは上記予め設定されたＭ個の近傍ブロックを含む、項目２３に記載の方法。
［項目２５］
予め設定された順で順に上記予め設定されたＭ個の近傍ブロックの動きベクトルをそれぞれＭ個の候補として、上記動きベクトル第２候補リストに入れ、
上記Ｎ個の近傍ブロックとは、上記予め設定された順で最初に確定されたＮ個の近傍ブロックを指す、項目２４に記載の方法。
［項目２６］
上記方法は、
上記Ｍ個の近傍ブロックのうちの１つのまたは複数の近傍ブロックの動きベクトルが取得不可である場合、上記１つのまたは複数の近傍ブロックの動きベクトルに基づき上記動きベクトル第２候補リストに入れる候補を確定することを放棄することをさらに含む、項目２４に記載の方法。
［項目２７］
上記の上記Ｍ個の近傍ブロックのうちのＮ個の近傍ブロックを順次走査し、走査結果に基づき対象近傍ブロックを確定することは、
上記Ｎ個の近傍ブロックを順次走査し、１つ目の事前設定条件に符合する近傍ブロックまで走査すると、走査を停止し、かつ上記走査した１つ目の事前設定条件に符合する近傍ブロックに基づき対象近傍ブロックを確定することを含む、項目１または２６に記載の方法。
［項目２８］
上記の上記走査した上記１つ目の事前設定条件に符合する近傍ブロックに基づき対象近傍ブロックを確定することは、
上記１つ目の事前設定条件に符合する近傍ブロックを上記対象近傍ブロックとすることを含む、項目１９に記載の方法。
［項目２９］
上記事前設定条件は、
近傍ブロックの参照画像と上記現在画像ブロックの参照画像が同じであることを含む、項目１９または２８に記載の方法。
［項目３０］
上記方法は、
上記Ｎ個の近傍ブロック中に上記事前設定条件に符合する近傍ブロックが走査されていない場合、上記Ｍ個の近傍ブロック中の特定近傍ブロックの動きベクトルにスケーリング処理を行い、上記スケーリング処理後の動きベクトルに基づき上記現在画像ブロックを予測することをさらに含む、項目２７〜２９のいずれか一項に記載の方法。
［項目３１］
上記の上記スケーリング処理後の動きベクトルに基づき上記現在画像ブロックを予測することは、
上記スケーリング処理後の動きベクトルと上記現在画像ブロックの参照画像に基づき上記現在画像ブロックの参照ブロックを確定することを含む、項目３０に記載の方法。
［項目３２］
上記特定近傍ブロックは上記Ｎ個の近傍ブロックのうち、走査順で得られた１つ目の近傍ブロックまたは最後の近傍ブロックである、項目３０に記載の方法。
［項目３３］
上記の上記Ｍ個の近傍ブロック中の特定近傍ブロックの動きベクトルにスケーリング処理を行い、上記スケーリング処理後の動きベクトルに基づき上記現在画像ブロックを予測することは、
上記特定近傍ブロックの動きベクトルにスケーリング処理を行って、上記スケーリング処理後の動きベクトルが指す参照フレームが上記現在画像ブロックの参照画像と同じになるようにすることと、
上記スケーリング処理後の動きベクトルの上記現在画像ブロックの参照画像中で指す画像ブロックを上記現在画像ブロックの参照ブロックとすることとを含む、項目３０に記載の方法。
［項目３４］
上記方法は、
上記Ｎ個の近傍ブロック中に上記事前設定条件に符合する近傍ブロックが走査されていない場合、デフォルトブロックを上記現在画像ブロックの参照ブロックとすることをさらに含む、項目２７〜３０のいずれか一項に記載の方法。
［項目３５］
上記デフォルトブロックは動きベクトル（０，０）が指す画像ブロックである、項目３４に記載の方法。
［項目３６］
上記サブ画像ブロックのサイズおよび／または上記サブ画像ブロックの関連ブロックのサイズは６４以上の画素に固定される、項目１〜３５のいずれか一項に記載の方法。
［項目３７］
上記サブ画像ブロックのサイズおよび／または上記サブ画像ブロックの関連ブロックのサイズは８×８画素、または１６×４画素または４×１６画素に固定される、項目３６に記載の方法。
［項目３８］
現在画像ブロックは１つの符号化ユニットＣＵである、項目１〜３７のいずれか一項に記載の方法。
［項目３９］
上記の上記対象近傍ブロックの動きベクトル、上記現在画像ブロックおよび上記現在画像ブロックの参照画像に基づき、上記現在画像ブロックの関連ブロックを確定することは、
上記対象近傍ブロックの動きベクトル、上記現在画像ブロックの参照画像において、上記現在画像ブロックの関連ブロックを確定することを含む、項目１〜３８のいずれか一項に記載方法。
［項目４０］
上記近傍ブロックは上記現在画像において上記現在画像ブロックの位置に隣接しまたはある位置ピッチを有する画像ブロックである、項目１〜３９のいずれか一項に記載の方法。
［項目４１］
上記の上記関連ブロックの動きベクトルに基づき上記現在画像ブロックを予測することは、
上記関連ブロックの参照画像が特定参照画像、または現在画像ブロックの参照画像が特定参照画像である時、処理後の上記関連ブロックの動きベクトルと上記現在画像ブロックの参照画像に基づき現在画像ブロックの参照ブロックを確定することを含み、
上記処理後の上記関連ブロックの動きベクトルと処理前の関連ブロックの動きベクトルは同じである、項目１〜４０のいずれか一項に記載の方法。
［項目４２］
上記処理後の上記関連ブロックの動きベクトルは、
数値が１の縮尺で上記関連ブロックの動きベクトルをスケーリングした後に得られた動きベクトル、または、
スケーリングステップをスキップした上記関連ブロックの動きベクトルを含む、項目４１に記載の方法。
［項目４３］
上記の上記関連ブロックの動きベクトルに基づき上記現在画像ブロックを予測することは、
上記関連ブロックの参照画像が特定参照画像、または現在のブロックの参照画像が特定参照画像である場合、上記関連ブロックの動きベクトルに基づき現在画像ブロックの参照ブロックを確定することを放棄することを含む、項目１〜４０のいずれか一項に記載の方法。
［項目４４］
上記方法は、
上記近傍ブロックの動きベクトルが特定参照画像を指し、または現在画像ブロックの参照画像が特定参照画像である場合、処理後の上記関連ブロックの動きベクトルと上記現在画像ブロックの参照画像に基づき現在画像ブロックの参照ブロックを確定することをさらに含み、
上記処理後の上記関連ブロックの動きベクトルと処理前の関連ブロックの動きベクトルは同じである、項目１〜４３のいずれか一項に記載の方法。
［項目４５］
上記処理後の上記関連ブロックの動きベクトルは、
数値が１の縮尺で上記関連ブロックの動きベクトルをスケーリングした後に得られた動きベクトル、または、
スケーリングステップをスキップした上記関連ブロックの動きベクトルを含む、項目４４に記載の方法。
［項目４６］
Ｍは４以下である、項目１〜４５のいずれか一項に記載の方法。
［項目４７］
動画像処理方法であって、
現在画像ブロックの動きベクトル第２候補リスト中のＭ個の候補に基づき、上記現在画像ブロックのＭ個の近傍ブロックを確定することと、
上記Ｍ個の近傍ブロックのうち、Ｍより小さいＮ個の近傍ブロックを順次走査し、走査結果に基づき対象近傍ブロックを確定することと、
上記対象近傍ブロックの動きベクトル、上記現在画像ブロック、および上記現在画像ブロックの参照画像に基づき、上記現在画像ブロックの関連ブロックを確定することと、
上記現在画像ブロックの関連ブロックに基づき上記現在画像ブロックの動きベクトル第１候補リスト中の特定候補を確定することと、
上記特定候補を用いることを確定した場合、上記現在画像ブロックと上記関連ブロックを同じの方法で複数のサブ画像ブロックに分割し、上記現在画像ブロック中の各サブ画像ブロックは、上記関連ブロックの各サブ画像ブロックに１対１に対応させることと、
上記関連ブロック中の各サブ画像ブロックの動きベクトルに基づき、上記現在画像ブロック中の対応するサブ画像ブロックをそれぞれ予測することを含む、動画像処理方法。
［項目４８］
上記動きベクトル第１候補リストの少なくとも１つの候補がサブ画像ブロックの動きベクトルを含み、上記動きベクトル第２候補リストの各候補が画像ブロックの動きベクトルを含む、項目４７に記載の方法。
［項目４９］
Ｎは１または２に等しい、項目４７または４８に記載の方法。
［項目５０］
上記Ｍ個の候補は上記現在画像ブロックの現在画像でのＭ個の近傍ブロックの動きベクトルを含む、項目４７〜４９のいずれか一項に記載の方法。
［項目５１］
上記の上記Ｍ個の近傍ブロックのうちのＮ個の近傍ブロックを順次走査し、走査結果に基づき対象近傍ブロックを確定することは、
上記Ｎ個の近傍ブロックを順次走査し、１つ目の事前設定条件に符合する近傍ブロックまで走査すると、走査を停止し、かつ上記走査した１つ目の事前設定条件に符合する近傍ブロックに基づき対象近傍ブロックを確定することを含む、項目５０に記載の方法。
［項目５２］
上記の上記走査した上記１つ目の事前設定条件に符合する近傍ブロックに基づき対象近傍ブロックを確定することは、
上記１つ目の事前設定条件に符合する近傍ブロックを上記対象近傍ブロックとすることを含む、項目５０に記載の方法。
［項目５３］
上記事前設定条件は、
近傍ブロックの参照画像と上記現在画像ブロックの参照画像が同じであることを含む、項目５１または５２に記載の方法。
［項目５４］
上記方法は、
上記Ｎ個の近傍ブロック中に上記事前設定条件に符合する近傍ブロックが走査されていない時、上記Ｍ個の近傍ブロック中の特定近傍ブロックの動きベクトルにスケーリング処理を行い、上記スケーリング処理後の動きベクトルに基づき上記現在画像ブロックを予測することをさらに含む、項目５１〜５３のいずれか一項に記載の方法。
［項目５５］
上記の上記スケーリング処理後の動きベクトルに基づき上記現在画像ブロックを予測することは、
上記スケーリング処理後の動きベクトルと上記現在画像ブロックの参照画像に基づき上記現在画像ブロックの参照ブロックを確定することを含む、項目５４に記載の方法。
［項目５６］
上記特定近傍ブロックは上記Ｎ個の近傍ブロックのうち、走査順で得られた１つ目の近傍ブロックまたは最後の近傍ブロックである、項目５４に記載の方法。
［項目５７］
上記の上記Ｍ個の近傍ブロック中の特定近傍ブロックの動きベクトルにスケーリング処理を行い、上記スケーリング処理後の動きベクトルに基づき上記現在画像ブロックを予測することは、
上記特定近傍ブロックの動きベクトルにスケーリング処理を行って、上記スケーリング処理後の動きベクトルが指す参照フレームが上記現在画像ブロックの参照画像と同じになるようにすることと、
上記スケーリング処理後の動きベクトルの上記現在画像ブロックの参照画像中で指す画像ブロックを上記現在画像ブロックの参照ブロックとすることとを含む、項目５４に記載の方法。
［項目５８］
上記方法は、
上記Ｎ個の近傍ブロック中に上記事前設定条件に符合する近傍ブロックが走査されていない場合、デフォルトブロックを上記現在画像ブロックの参照ブロックとすることをさらに含む、項目５１〜５３のいずれか一項に記載の方法。
［項目５９］
上記デフォルトブロックは動きベクトル（０，０）が指す画像ブロックである、項目５８に記載の方法。
［項目６０］
上記サブ画像ブロックのサイズおよび／または上記サブ画像ブロックの関連ブロックのサイズは６４以上の画素に固定される、項目４７〜５９のいずれか一項に記載の方法。
［項目６１］
上記サブ画像ブロックのサイズおよび／または上記サブ画像ブロックの関連ブロックのサイズは８×８画素、または１６×４画素または４×１６画素に固定される、項目６０に記載の方法。
［項目６２］
上記現在画像ブロックは１つの符号化ユニットＣＵである、項目４７〜６１のいずれか一項に記載の方法。
［項目６３］
上記の上記対象近傍ブロックの動きベクトル、上記現在画像ブロックおよび上記現在画像ブロックの参照画像に基づき、上記現在画像ブロックの関連ブロックを確定することは、
上記対象近傍ブロックの動きベクトル、上記現在画像ブロックの参照画像において、上記現在画像ブロックの関連ブロックを確定することを含む、項目４７〜６２のいずれか一項に記載方法。
［項目６４］
上記近傍ブロックは上記現在画像上で上記現在画像ブロックの位置に隣接しまたはある位置ピッチを有する画像ブロックである、項目４７〜６３のいずれか一項に記載の方法。
［項目６５］
上記の上記関連ブロックの動きベクトルに基づき上記現在画像ブロックを予測することは、
上記関連ブロックの参照画像が特定参照画像、または現在画像ブロックの参照画像が特定参照画像である場合、処理後の上記関連ブロックの動きベクトルと上記現在画像ブロックの参照画像に基づき現在画像ブロックの参照ブロックを確定することを含み、
上記処理後の上記関連ブロックの動きベクトルと処理前の関連ブロックの動きベクトルは同じである、項目４７〜６４のいずれか一項に記載の方法。
［項目６６］
上記処理後の上記関連ブロックの動きベクトルは、
数値が１の縮尺で上記関連ブロックの動きベクトルをスケーリングした後に得られた動きベクトル、または、
スケーリングステップをスキップした上記関連ブロックの動きベクトルを含む、項目６５に記載の方法。
［項目６７］
上記の上記関連ブロックの動きベクトルに基づき上記現在画像ブロックを予測することは、
上記関連ブロックの参照画像が特定参照画像、または現在のブロックの参照画像が特定参照画像である時、上記関連ブロックの動きベクトルに基づき現在画像ブロックの参照ブロックを確定することを放棄することを含む、項目４７〜６４のいずれか一項に記載の方法。
［項目６８］
上記方法は、
上記近傍ブロックの動きベクトルが特定参照画像を指し、または現在画像ブロックの参照画像が特定参照画像である時、処理後の上記関連ブロックの動きベクトルと上記現在画像ブロックの参照画像に基づき現在画像ブロックの参照ブロックを確定することをさらに含み、
上記処理後の上記関連ブロックの動きベクトルと処理前の関連ブロックの動きベクトルは同じである、項目４７〜６７のいずれか一項に記載の方法。
［項目６９］
上記処理後の上記関連ブロックの動きベクトルは、
数値が１の縮尺で上記関連ブロックの動きベクトルをスケーリングした後に得られた動きベクトル、または、
スケーリングステップをスキップした上記関連ブロックの動きベクトルを含む、項目６８に記載の方法。
［項目７０］
上記の上記関連ブロック中における各サブ画像ブロックの動きベクトルに基づきそれぞれ上記現在画像ブロック中における対応するサブ画像ブロックを予測することは、
上記関連ブロック中の各サブ画像ブロックの動きベクトルを、それぞれ上記現在画像ブロック中に対応するサブ画像ブロックの動きベクトルとすることを含む、項目４７〜６９のいずれか一項に記載の方法。
［項目７１］
上記の上記現在画像ブロックの関連ブロックに基づき上記現在画像ブロックの動きベクトル第１候補リスト中の特定候補を確定することは、
上記現在画像ブロックの関連ブロックの代表動きベクトルを上記特定候補として上記動きベクトル第１候補リストに入れることを含む、項目４７〜６９のいずれか一項に記載の方法。
［項目７２］
上記関連ブロックの代表動きベクトルを１つ目の候補として動きベクトル第１候補リストに入れる、項目７１に記載の方法。
［項目７３］
上記関連ブロックの代表動きベクトルは上記関連ブロックの中央位置の動きベクトルを含む、項目７１に記載の方法。
［項目７４］
上記方法は、
上記関連ブロック中に動きベクトルが取得不可なサブ画像ブロックが出た場合、上記関連ブロックの代表動きベクトルを上記動きベクトルが取得不可なサブ画像ブロックの動きベクトルとし、上記現在画像ブロック中の対応するサブ画像ブロックを予測することをさらに含む、項目７１に記載の方法。
［項目７５］
上記方法は、
上記関連ブロック中に動きベクトルが取得不可なサブ画像ブロックが出ており、かつ上記関連ブロックの代表動きベクトルが取得不可である場合、上記関連ブロック中各サブ画像ブロックの動きベクトルに基づきそれぞれ上記現在画像ブロック中の対応するサブ画像ブロックを予測することを放棄することをさらに含む、項目７４に記載の方法。
［項目７６］
上記関連ブロック中のサブ画像ブロックが取得不可であり、または関連ブロック中のサブ画像ブロックがフレーム内符号化モードを用いる場合、該関連ブロック中に動きベクトルが取得不可なサブ画像ブロックが出たことを確定する、項目７４に記載の方法。
［項目７７］
上記方法は、
上記動きベクトル第２候補リスト中の上記特定候補以外のそのうちの１つの候補を採用することを確定する場合、アフィン変換モデルに基づき上記採用した候補にアフィン変換を行うことと、
上記アフィン変換後の候補に基づき上記現在画像ブロック中のサブ画像ブロックを予測することとをさらに含む、項目４７〜７６のいずれか一項に記載方法。
［項目７８］
上記動きベクトル第２候補リスト中の上記特定候補以外の少なくとも１つの候補において、各候補は一組のコントロールポイントの動きベクトルを含む、項目７７に記載の方法。
［項目７９］
上記アフィン変換モデルは４パラメータアフィン変換モデルを含む場合、上記少なくとも１つの候補において、各候補は２つのコントロールポイントの動きベクトルを含み、
上記アフィン変換モデルは６パラメータアフィン変換モデルを含む場合、上記少なくとも１つの候補において、各候補は３つのコントロールポイントの動きベクトルを含む、項目７８に記載の方法。
［項目８０］
上記方法は、
上記現在画像ブロックの近傍ブロックから、特定走査順でアフィン変換モードを採用して予測を行う近傍ブロックのコントロールポイント動きベクトル群を確定することと、
それぞれの確定された近傍ブロックのコントロールポイント動きベクトル群を１つの候補として上記動きベクトル第１候補リストに入れることとをさらに含む、項目４７〜７９のいずれか一項に記載の方法。
［項目８１］
上記の上記現在画像ブロックの近傍ブロックから、特定走査順でアフィン変換モードを採用して予測を行う近傍ブロックのコントロールポイント動きベクトル群を確定することは、
上記現在の画像ブロックの左側近傍ブロックにおいて第１走査順で第１近傍ブロックのコントロールポイントの動きベクトル群を確定することと、
上記現在の画像ブロックの上側近傍ブロックにおいて第２走査順で第２近傍ブロックのコントロールポイントの動きベクトル群を確定することと、
上記第１近傍ブロックのコントロールポイントの動きベクトル群と上記第２近傍ブロックのコントロールポイントの動きベクトル群を上記動きベクトルの第１候補リストに入れることと、を含む、項目８０に記載の方法。
［項目８２］
上記方法は、
上記現在画像ブロックの一部のコントロールポイントの近傍ブロックに基づき上記一部のコントロールポイントの動きベクトルを構築することと、
上記現在画像ブロックの一部のコントロールポイントの動きベクトルを上記動きベクトル第１候補リストに入れることをさらに含む、項目４７〜８１のいずれか一項に記載の方法。
［項目８３］
上記の上記現在画像ブロックの一部のコントロールポイントの近傍ブロックに基づき上記一部のコントロールポイントの動きベクトルを構築することは、
上記一部のコントロールポイントにおける各コントロールポイントに対し、第３走査順で上記コントロールポイントの特定近傍ブロックを順次走査し、事前設定条件を満たす特定近傍ブロックの動きベクトルを上記コントロールポイントの動きベクトルとすることを含む項目８２に記載の方法。
［項目８４］
上記方法は、
上記一部のコントロールポイントの動きベクトルがそれぞれ異なる参照フレームを指す時、上記現在画像ブロックの一部のコントロールポイントの動きベクトルを上記動きベクトル第１候補リストに入れることを放棄することをさらに含む、項目８２または８３に記載の方法。
［項目８５］
上記方法は、
上記動きベクトル第１候補リスト中の候補の数量が予め設定された数値より大きい時、上記現在画像ブロックの一部のコントロールポイントの動きベクトルを上記動きベクトル第１候補リストに入れることを放棄することをさらに含む、項目８２または８３に記載の方法。
［項目８６］
上記方法は、
動きベクトル第２候補リストを構築し、ここでは、上記動きベクトル第２候補リストに入れる候補は１つの画像ブロックの動きベクトルであり、
上記動きベクトル第２候補リスト中の候補を採用することを確定した場合、上記候補の動きベクトルに基づき上記現在画像ブロックの動きベクトルを確定することをさらに含む、項目４９〜６１に記載の方法。
［項目８７］
上記の上記候補の動きベクトルに基づき上記現在画像ブロックの動きベクトルを確定することは、
上記の採用することを確定した候補を上記現在画像ブロックの動きベクトルとし、または上記採用することを確定した候補をスケーリングした後に上記現在画像ブロックの動きベクトルとすることを含む、項目８６に記載の方法。
［項目８８］
上記の動きベクトル第２候補リストを構築することは、
上記現在画像ブロックの現在画像上でのＭ個の近傍ブロックの動きベクトルに基づき上記動きベクトル第２候補リストに入れる上記Ｍ個の候補を確定することを含む、項目８６に記載の方法。
［項目８９］
予め設定された順で順に上記予め設定されたＭ個の近傍ブロックの動きベクトルをそれぞれＭ個の候補として、上記動きベクトル第２候補リストに入れ、上記Ｎ個の近傍ブロックとは、上記予め設定された順で最初に確定されたＮ個の近傍ブロックを指すこと、
および／または
上記Ｍ個の近傍ブロック中の１つのまたは複数の近傍ブロックの動きベクトルが取得不可である場合、上記１つのまたは複数の近傍ブロックの動きベクトルに基づき上記動きベクトル第２候補リストに入れる候補を確定することを放棄する、項目８８に記載の方法。
［項目９０］
Ｍは４以下である、項目４７〜８９のいずれか一項に記載の方法。
［項目９１］
動画像処理装置であって、
現在画像ブロックの予め設定されたＭ個の近傍ブロックのうちＭよりも小さいＮ個の近傍ブロックを順次走査し、走査結果に基づき対象近傍ブロックを確定することと、上記対象近傍ブロックの動きベクトル、上記現在画像ブロック、および上記現在画像ブロックの参照画像に基づき、上記現在画像ブロックの関連ブロックを確定することと、上記現在画像ブロックと上記関連ブロックを同じ方法で複数のサブ画像ブロックに分割し、上記現在画像ブロック中の各サブ画像ブロックは、上記関連ブロック中の各サブ画像ブロックと１対１に対応させることとのために用いられる構築モジュールと、
上記関連ブロック中の各サブ画像ブロックの動きベクトルに基づき、上記現在画像ブロック中の対応するサブ画像ブロックをそれぞれ予測するために用いられる予測モジュールとを含む、動画像処理装置。
［項目９２］
Ｎは１または２に等しい、項目９１に記載の動画像処理装置。
［項目９３］
上記予測モジュールはさらに、
上記の上記関連ブロック中の各サブ画像ブロックの動きベクトルに基づきそれぞれ上記現在画像ブロック中の対応するサブ画像ブロックを予測する前に上記関連ブロックの代表動きベクトルを候補として動きベクトル第１候補リストに入れ、
上記候補を採用すると確定した場合、上記予測モジュールは上記関連ブロック中の各サブ画像ブロックの動きベクトルに基づき、上記現在画像ブロック中の対応するサブ画像ブロックをそれぞれ予測するために用いられる、項目９１または９２に記載の動画像処理装置。
［項目９４］
上記の上記関連ブロック中の各サブ画像ブロックの動きベクトルに基づきそれぞれ上記現在画像ブロック中における対応するサブ画像ブロックを予測することは、
上記関連ブロック中の各サブ画像ブロックの動きベクトルを、それぞれ上記現在画像ブロック中の対応するサブ画像ブロックの動きベクトルとすることを含む、項目９３に記載の動画像処理装置。
［項目９５］
上記関連ブロックの代表動きベクトルを１つ目の候補として動きベクトル第１候補リストに入れる、項目９３に記載の動画像処理装置。
［項目９６］
上記関連ブロックの代表動きベクトルは上記関連ブロックの中央位置の動きベクトルを含む、項目９３に記載の動画像処理装置。
［項目９７］
上記予測モジュールはさらに、
上記関連ブロック中に動きベクトルが取得不可なサブ画像ブロックが出た場合、上記関連ブロックの代表動きベクトルを上記動きベクトルが取得不可なサブ画像ブロックの動きベクトルとし、上記現在画像ブロック中の対応するサブ画像ブロックを予測するために用いられる、項目９３に記載の動画像処理装置。
［項目９８］
上記予測モジュールはさらに、
上記関連ブロック中に動きベクトルが取得不可なサブ画像ブロックが出ており、かつ上記関連ブロックの代表動きベクトルが取得不可である場合、上記関連ブロック中の各サブ画像ブロックの動きベクトルに基づきそれぞれ上記現在画像ブロック中の対応するサブ画像ブロックを予測することを放棄するために用いられる、項目９７に記載の動画像処理装置。
［項目９９］
上記予測モジュールはさらに、
上記関連ブロック中のサブ画像ブロックが取得不可であり、または関連ブロック中のサブ画像ブロックがフレーム内符号化モードを用いる場合、該関連ブロック中に動きベクトルが取得不可なサブ画像ブロックが出たことを確定するために用いられる、項目９８に記載の動画像処理装置。
［項目１００］
上記構築モジュールはさらに、
他の候補を確定し、上記他候補を上記動きベクトル第１候補リストに入れるために用いられ、上記他の候補中の少なくとも１つの候補はサブ画像ブロックの動きベクトルをさらに含む、項目９３に記載の動画像処理装置。
［項目１０１］
上記構築モジュールはさらに、
上記他の候補のうちの１つの候補を採用することを確定する場合、上記採用した候補に基づき上記現在画像ブロック中のサブ画像ブロックの動きベクトルを確定するために用いられる、項目１００に記載の動画像処理装置。
［項目１０２］
上記少なくとも１つの候補は一組のコントロールポイントの動きベクトルを含む、項目１００または１０１に記載の動画像処理装置。
［項目１０３］
上記予測モジュールはさらに、
上記少なくとも１つの候補中の候補を採用することを確定する場合、アフィン変換モデルに基づき上記採用した候補にアフィン変換を行うことと、
上記アフィン変換後の候補に基づき上記現在画像ブロック中のサブ画像ブロックを予測することとのために用いられる、項目１００〜１０２のいずれか一項に記載の動画像処理装置。
［項目１０４］
上記アフィン変換モデルは４パラメータアフィン変換モデルを含む場合、上記少なくとも１つの候補において、各候補は２つのコントロールポイントの動きベクトルを含み、
上記アフィン変換モデルは６パラメータアフィン変換モデルを含む場合、上記少なくとも１つの候補において、各候補は３つのコントロールポイントの動きベクトルを含む、項目１０３に記載の動画像処理装置。
［項目１０５］
上記構築モジュールはさらに、
上記現在画像ブロックの近傍ブロックから、特定走査順でアフィン変換モードを採用して予測を行う近傍ブロックのコントロールポイント動きベクトル群を確定することと、
それぞれの確定された近傍ブロックのコントロールポイント動きベクトル群を１つの候補として上記動きベクトル第１候補リストに入れることとのために用いられる、項目９３〜１０４のいずれか一項に記載の動画像処理装置。
［項目１０６］
上記の上記現在画像ブロックの近傍ブロックから、特定走査順でアフィン変換モードを採用して予測を行う近傍ブロックのコントロールポイント動きベクトル群を確定することは、
上記現在の画像ブロックの左側近傍ブロックにおいて第１走査順で第１近傍ブロックのコントロールポイントの動きベクトル群を確定することと、
上記現在の画像ブロックの上側近傍ブロックにおいて第２走査順で第２近傍ブロックのコントロールポイントの動きベクトル群を確定することと、
上記第１近傍ブロックのコントロールポイントの動きベクトル群と上記第２近傍ブロックのコントロールポイントの動きベクトル群を上記動きベクトルの第１候補リストに入れることと、を含む、項目１０５に記載の動画像処理装置。
［項目１０７］
上記構築モジュールはさらに、
上記現在画像ブロックの一部のコントロールポイントの近傍ブロックに基づき上記一部のコントロールポイントの動きベクトルを構築することと、
上記現在画像ブロックの一部のコントロールポイントの動きベクトルを上記動きベクトル第１候補リストに入れることのために用いられる、項目９３〜１０４のいずれか一項に記載の動画像処理装置。
［項目１０８］
上記の上記現在画像ブロックの一部のコントロールポイントの近傍ブロックに基づき上記一部のコントロールポイントの動きベクトルを構築することは、
上記一部のコントロールポイントにおける各コントロールポイントに対し、第３走査順で上記コントロールポイントの特定近傍ブロックを順次走査し、事前設定条件を満たす特定近傍ブロックの動きベクトルを上記コントロールポイントの動きベクトルとすることを含む項目１０７に記載の動画像処理装置。
［項目１０９］
上記構築モジュールはさらに、
上記一部のコントロールポイントの動きベクトルがそれぞれ異なる参照フレームを指す時、上記現在画像ブロックの一部のコントロールポイントの動きベクトルを上記動きベクトル第１候補リストに入れることを放棄するために用いられる、項目１０７または１０８に記載の動画像処理装置。
［項目１１０］
上記構築モジュールはさらに、
上記動きベクトル第１候補リスト中の候補の数量が予め設定された数値より大きい時、上記現在画像ブロックの一部のコントロールポイントの動きベクトルを上記動きベクトル第１候補リストに入れることを放棄するために用いられる、項目１０７または１０８のいずれか一項に記載の動画像処理装置。
［項目１１１］
上記構築モジュールはさらに、
動きベクトル第２候補リストを構築し、ここでは、上記動きベクトル第２候補リストに入れる候補は１つの画像ブロックの動きベクトルであり、
上記動きベクトル第２候補リスト中の候補を採用することを確定した場合、上記候補の動きベクトルに基づき上記現在画像ブロックの動きベクトルを確定するために用いられる、項目９３〜１０５のいずれか一項に記載の動画像処理装置。
［項目１１２］
上記の上記候補の動きベクトルに基づき上記現在画像ブロックの動きベクトルを確定することは、
上記の採用することを確定した候補を上記現在画像ブロックの動きベクトルとし、または上記採用することを確定した候補をスケーリングした後に上記現在画像ブロックの動きベクトルとすることを含む、項目１１１に記載の動画像処理装置。
［項目１１３］
上記構築動きベクトル第２候補リストは、
上記現在画像ブロックの現在画像上での複数の近傍ブロックの動きベクトルに基づき上記動きベクトル第２候補リストに入れる候補を確定することを含む、項目１１１に記載の動画像処理装置。
［項目１１４］
上記現在画像ブロックの現在画像上での複数の近傍ブロックは上記予め設定されたＭ個の近傍ブロックを含む、項目１１３に記載の動画像処理装置。
［項目１１５］
上記構築モジュールはさらに、
予め設定された順で順に上記予め設定されたＭ個の近傍ブロックの動きベクトルをそれぞれＭ個の候補として、上記動きベクトル第２候補リストに入れるために用いられ、
上記Ｎ個の近傍ブロックとは、上記予め設定された順で最初に確定されたＮ個の近傍ブロックを指す、項目１１４に記載の動画像処理装置。
［項目１１６］
上記構築モジュールはさらに、
上記Ｍ個の近傍ブロック中の１つのまたは複数の近傍ブロックの動きベクトルが取得不可である場合、上記１つのまたは複数の近傍ブロックの動きベクトルに基づき上記動きベクトル第２候補リストに入れる候補を確定することを放棄するために用いられる、項目１１４に記載の動画像処理装置。
［項目１１７］
上記の上記Ｍ個の近傍ブロックのうちのＮ個の近傍ブロックを順次走査し、走査結果に基づき対象近傍ブロックを確定することは、
上記Ｎ個の近傍ブロックを順次走査し、１つ目の事前設定条件に符合する近傍ブロックまで走査すると、走査を停止し、かつ上記走査した１つ目の事前設定条件に符合する近傍ブロックに基づき対象近傍ブロックを確定することを含む、項目９１または１１６に記載の動画像処理装置。
［項目１１８］
上記の上記走査した上記１つ目の事前設定条件に符合する近傍ブロックに基づき対象近傍ブロックを確定することは、
上記１つ目の事前設定条件に符合する近傍ブロックを上記対象近傍ブロックとすることを含む、項目１０９に記載の動画像処理装置。
［項目１１９］
上記事前設定条件は、
近傍ブロックの参照画像と上記現在画像ブロックの参照画像が同じであることを含む、項目１０９または１１８に記載の動画像処理装置。
［項目１２０］
上記構築モジュールはさらに、
上記Ｎ個の近傍ブロック中に上記事前設定条件に符合する近傍ブロックが走査されていない時、上記Ｍ個の近傍ブロック中の特定近傍ブロックの動きベクトルにスケーリング処理を行うために用いられ、
上記予測モジュールはさらに、上記スケーリング処理後の動きベクトルに基づき上記現在画像ブロックを予測するために用いられる、項目１１７〜１１９のいずれか一項に記載の動画像処理装置。
［項目１２１］
上記の上記スケーリング処理後の動きベクトルに基づき上記現在画像ブロックを予測することは、
上記スケーリング処理後の動きベクトルと上記現在画像ブロックの参照画像に基づき上記現在画像ブロックの参照ブロックを確定することを含む、項目１２０に記載の動画像処理。
［項目１２２］
上記特定近傍ブロックは上記Ｎ個の近傍ブロックのうち、走査順で得られた１つ目の近傍ブロックまたは最後の近傍ブロックである、項目１２０に記載の動画像処理装置。
［項目１２３］
上記の上記Ｍ個の近傍ブロック中の特定近傍ブロックの動きベクトルにスケーリング処理を行い、上記スケーリング処理後の動きベクトルに基づき上記現在画像ブロックを予測することは、
上記特定近傍ブロックの動きベクトルにスケーリング処理を行い、上記スケーリング処理後の動きベクトルが指す参照フレームが上記現在画像ブロックの参照画像と同じになるようにし、
上記スケーリング処理後の動きベクトルの上記現在画像ブロックの参照画像中で指す画像ブロックを上記現在画像ブロックの参照ブロックとすることを含む、項目１２０に記載の動画像処理装置。
［項目１２４］
上記Ｎ個の近傍ブロック中に上記事前設定条件に符合する近傍ブロックが走査されていない場合、デフォルトブロックを上記現在画像ブロックの参照ブロックとする、項目１１７〜１２０のいずれか一項に記載の動画像処理装置。
［項目１２５］
上記デフォルトブロックは動きベクトル（０，０）が指す画像ブロックである、項目１２４に記載の動画像処理装置。
［項目１２６］
上記サブ画像ブロックのサイズおよび／または上記サブ画像ブロックの関連ブロックのサイズは６４以上の画素に固定される、項目９１〜１２５のいずれか一項に記載の動画像処理装置。
［項目１２７］
上記サブ画像ブロックのサイズおよび／または上記サブ画像ブロックの関連ブロックのサイズは８×８画素、または１６×４画素または４×１６画素に固定される、項目１２６に記載の動画像処理装置。
［項目１２８］
上記現在画像ブロックは１つの符号化ユニットＣＵである、項目９１〜１２７のいずれか一項に記載の動画像処理装置。
［項目１２９］
上記の上記対象近傍ブロックの動きベクトル、上記現在画像ブロックおよび上記現在画像ブロックの参照画像に基づき、上記現在画像ブロックの関連ブロックを確定することは、
上記対象近傍ブロックの動きベクトル、上記現在画像ブロックの参照画像において、上記現在画像ブロックの関連ブロックを確定することを含む、項目９１〜１２８のいずれか一項に記載の動画像処理装置。
［項目１３０］
上記近傍ブロックは上記現在画像上で上記現在画像ブロックの位置に隣接しまたはある位置ピッチを有する画像ブロックである、項目９１〜１２９のいずれか一項に記載の動画像処理装置。
［項目１３１］
上記の上記関連ブロックの動きベクトルに基づき上記現在画像ブロックを予測することは、
上記関連ブロックの参照画像が特定参照画像、または現在画像ブロックの参照画像が特定参照画像である場合、処理後の上記関連ブロックの動きベクトルと上記現在画像ブロックの参照画像に基づき現在画像ブロックの参照ブロックを確定することを含み、
上記処理後の上記関連ブロックの動きベクトルと処理前の関連ブロックの動きベクトルは同じである、項目９１〜１３０のいずれか一項に記載の動画像処理装置。
［項目１３２］
上記処理後の上記関連ブロックの動きベクトルは、
数値が１の縮尺で上記関連ブロックの動きベクトルをスケーリングした後に得られた動きベクトル、または、
スケーリングステップをスキップした上記関連ブロックの動きベクトルを含む、項目１３１に記載の動画像処理装置。
［項目１３３］
上記の上記関連ブロックの動きベクトルに基づき上記現在画像ブロックを予測することは、
上記関連ブロックの参照画像が特定参照画像、または現在のブロックの参照画像が特定参照画像である時、上記関連ブロックの動きベクトルに基づき現在画像ブロックの参照ブロックを確定することを放棄することを含む、項目９１〜１３０のいずれか一項に記載の動画像処理装置。
［項目１３４］
上記構築モジュールはさらに、
上記近傍ブロックの動きベクトルが特定参照画像を指し、または現在画像ブロックの参照画像が特定参照画像である場合、処理後の上記関連ブロックの動きベクトルと上記現在画像ブロックの参照画像に基づき現在画像ブロックの参照ブロックを確定するために用いられ、
上記処理後の上記関連ブロックの動きベクトルと処理前の関連ブロックの動きベクトルは同じである、項目９１〜１３３のいずれか一項に記載の動画像処理装置。
［項目１３５］
上記処理後の上記関連ブロックの動きベクトルは、
数値が１の縮尺で上記関連ブロックの動きベクトルをスケーリングした後に得られた動きベクトル、または、
スケーリングステップをスキップした上記関連ブロックの動きベクトルを含む、項目１３４に記載の動画像処理装置。
［項目１３６］
Ｍは４以下である、項目９１〜１３５のいずれか一項に記載の動画像処理装置。
［項目１３７］
動画像処理装置であって、
現在画像ブロックの動きベクトル第２候補リスト中のＭ個の候補に基づき、上記現在画像ブロックのＭ個の近傍ブロックを確定することと、上記Ｍ個の近傍ブロックのうちＭより小さいＮ個の近傍ブロックを順次走査し、走査結果に基づき対象近傍ブロックを確定することと、上記対象近傍ブロックの動きベクトル、上記現在画像ブロック、および上記現在画像ブロックの参照画像に基づき、上記現在画像ブロックの関連ブロックを確定することと、上記現在画像ブロックの関連ブロックに基づき上記現在画像ブロックの動きベクトル第１候補リスト中の特定候補を確定することと、上記特定候補を用いることを確定した場合、上記現在画像ブロックと上記関連ブロックを同じの方法で複数のサブ画像ブロックに分割し、上記現在画像ブロック中の各サブ画像ブロックは、上記関連ブロックの各サブ画像ブロックに１対１に対応させることとのために用いられる構築モジュールと、
上記関連ブロック中の各サブ画像ブロックの動きベクトルに基づき、上記現在画像ブロック中の対応するサブ画像ブロックをそれぞれ予測するために用いられる予測モジュールとを含む、動画像処理装置。
［項目１３８］
上記動きベクトル第１候補リスト中の少なくとも１つの候補はサブ画像ブロックの動きベクトルを含み、上記動きベクトル第２候補リストののうちの各候補は画像ブロックの動きベクトルを含む、項目１３７に記載の動画像処理装置。
［項目１３９］
Ｎは１または２に等しい、項目１３７または１３８に記載の動画像処理装置。
［項目１４０］
上記Ｍ個の候補は上記現在画像ブロックの現在画像上でのＭ個の近傍ブロックの動きベクトルを含む、項目１３７〜１３９のいずれか一項に記載の動画像処理装置。
［項目１４１］
上記の上記Ｍ個の近傍ブロックのうちのＮ個の近傍ブロックを順次走査し、走査結果に基づき対象近傍ブロックを確定することは、
上記Ｎ個の近傍ブロックを順次走査し、１つ目の事前設定条件に符合する近傍ブロックまで走査すると、走査を停止し、かつ上記走査した１つ目の事前設定条件に符合する近傍ブロックに基づき対象近傍ブロックを確定することを含む、１４０に記載の動画像処理装置。
［項目１４２］
上記の上記走査した上記１つ目の事前設定条件に符合する近傍ブロックに基づき対象近傍ブロックを確定することは、
上記１つ目の事前設定条件に符合する近傍ブロックを上記対象近傍ブロックとすることを含む、項目１４０に記載の動画像処理装置。
［項目１４３］
上記事前設定条件は、
近傍ブロックの参照画像と上記現在画像ブロックの参照画像が同じであることを含む、項目１４１または１４２のいずれか一項に記載の動画像処理装置。
［項目１４４］
上記構築モジュールはさらに、上記Ｎ個の近傍ブロック中に上記事前設定条件に符合する近傍ブロックが走査されていない場合、上記Ｍ個の近傍ブロック中の特定近傍ブロックの動きベクトルにスケーリング処理を行うために用いられ、
上記予測モジュールはさらに、上記スケーリング処理後の動きベクトルに基づき上記現在画像ブロックを予測するために用いられる、項目１４１〜１４３のいずれか一項に記載の動画像処理装置。
［項目１４５］
上記の上記スケーリング処理後の動きベクトルに基づき上記現在画像ブロックを予測することは、
上記スケーリング処理後の動きベクトルと上記現在画像ブロックの参照画像に基づき上記現在画像ブロックの参照ブロックを確定することを含む、項目１４４に記載の動画像処理装置。
［項目１４６］
上記特定近傍ブロックは上記Ｎ個の近傍ブロックのうち、走査順で得られた１つ目の近傍ブロックまたは最後の近傍ブロックである、項目１４４に記載の動画像処理装置。
［項目１４７］
上記の上記Ｍ個の近傍ブロック中の特定近傍ブロックの動きベクトルにスケーリング処理を行い、上記スケーリング処理後の動きベクトルに基づき上記現在画像ブロックを予測することは、
上記特定近傍ブロックの動きベクトルにスケーリング処理を行い、上記スケーリング処理後の動きベクトルが指す参照フレームが上記現在画像ブロックの参照画像と同じになるようにすることと、
上記スケーリング処理後の動きベクトルの上記現在画像ブロックの参照画像中で指す画像ブロックを上記現在画像ブロックの参照ブロックとすることとを含む、項目１４４に記載の動画像処理装置。
［項目１４８］
上記Ｎ個の近傍ブロック中に上記事前設定条件に符合する近傍ブロックが走査されていない場合、デフォルトブロックを上記現在画像ブロックの参照ブロックとする、項目１４１〜１４３のいずれか一項に記載の動画像処理装置。
［項目１４９］
上記デフォルトブロックは動きベクトル（０，０）が指す画像ブロックである、項目１４８に記載の動画像処理装置。
［項目１５０］
上記サブ画像ブロックのサイズおよび／または上記サブ画像ブロックの関連ブロックのサイズは６４以上の画素に固定される、項目１３７〜１４９のいずれか一項に記載の動画像処理装置。
［項目１５１］
上記サブ画像ブロックのサイズおよび／または上記サブ画像ブロックの関連ブロックのサイズは８×８画素、または１６×４画素または４×１６画素に固定される、項目１５０に記載の動画像処理装置。
［項目１５２］
上記現在画像ブロックは１つの符号化ユニットＣＵである、項目１３７〜１５１のいずれか一項に記載の動画像処理装置。
［項目１５３］
上記の上記対象近傍ブロックの動きベクトル、上記現在画像ブロックおよび上記現在画像ブロックの参照画像に基づき、上記現在画像ブロックの関連ブロックを確定することは、
上記対象近傍ブロックの動きベクトル、上記現在画像ブロックの参照画像において、上記現在画像ブロックの関連ブロックを確定することを含む、項目１３７〜１５２のいずれか一項に記載の動画像処理装置。
［項目１５４］
上記近傍ブロックは上記現在画像上で上記現在画像ブロックの位置に隣接しまたはある位置ピッチを有する画像ブロックである、項目１３７〜１５３のいずれか一項に記載の動画像処理装置。
［項目１５５］
上記の上記関連ブロックの動きベクトルに基づき上記現在画像ブロックを予測することは、
上記関連ブロックの参照画像が特定参照画像、または現在画像ブロックの参照画像が特定参照画像である時、処理後の上記関連ブロックの動きベクトルと上記現在画像ブロックの参照画像に基づき現在画像ブロックの参照ブロックを確定することを含み、
上記処理後の上記関連ブロックの動きベクトルと処理前の関連ブロックの動きベクトルは同じである、項目１３７〜１５４のいずれか一項に記載の動画像処理装置。
［項目１５６］
上記処理後の上記関連ブロックの動きベクトルは、
数値が１の縮尺で上記関連ブロックの動きベクトルをスケーリングした後に得られた動きベクトル、または、
スケーリングステップをスキップした上記関連ブロックの動きベクトルを含む、項目１５５に記載の動画像処理装置。
［項目１５７］
上記の上記関連ブロックの動きベクトルに基づき上記現在画像ブロックを予測することは、
上記関連ブロックの参照画像が特定参照画像、または現在のブロックの参照画像が特定参照画像である場合、上記関連ブロックの動きベクトルに基づき現在画像ブロックの参照ブロックを確定することを放棄することを含む、項目１３７〜１５４のいずれか一項に記載の動画像処理装置。
［項目１５８］
上記構築モジュールはさらに、
上記近傍ブロックの動きベクトルが特定参照画像を指し、または現在画像ブロックの参照画像が特定参照画像である場合、処理後の上記関連ブロックの動きベクトルと上記現在画像ブロックの参照画像に基づき現在画像ブロックの参照ブロックを確定するために用いられ、
上記処理後の上記関連ブロックの動きベクトルと処理前の関連ブロックの動きベクトルは同じである、項目１３７〜１５７のいずれか一項に記載の動画像処理装置。
［項目１５９］
上記処理後の上記関連ブロックの動きベクトルは、
数値が１の縮尺で上記関連ブロックの動きベクトルをスケーリングした後に得られた動きベクトル、または、
スケーリングステップをスキップした上記関連ブロックの動きベクトルを含む、項目１５８に記載の動画像処理装置。
［項目１６０］
上記の上記関連ブロック中の各サブ画像ブロックの動きベクトルに基づきそれぞれ上記現在画像ブロック中における対応するサブ画像ブロックを予測することは、
上記関連ブロック中の各サブ画像ブロックの動きベクトルを、それぞれ上記現在画像ブロック中の対応するサブ画像ブロックの動きベクトルとすることを含む、項目１３７〜１５９のいずれか一項に記載の動画像処理装置。
［項目１６１］
上記の上記現在画像ブロックの関連ブロックに基づき上記現在画像ブロックの動きベクトル第１候補リスト中の特定候補を確定することは、
上記現在画像ブロックの関連ブロックの代表動きベクトルを上記特定候補として上記動きベクトル第１候補リストに入れることを含む、項目１３７〜１５９のいずれか一項に記載の動画像処理装置。
［項目１６２］
上記関連ブロックの代表動きベクトルを１つ目の候補として動きベクトル第１候補リストに入れる、項目１６１に記載の動画像処理装置。
［項目１６３］
上記関連ブロックの代表動きベクトルは上記関連ブロックの中央位置の動きベクトルを含む、項目１６１に記載の動画像処理装置。
［項目１６４］
上記予測モジュールはさらに、
上記関連ブロック中に動きベクトルが取得不可なサブ画像ブロックがで出ると、上記関連ブロックの代表動きベクトルを上記動きベクトルが取得不可なサブ画像ブロックの動きベクトルとし、上記現在画像ブロック中の対応するサブ画像ブロックを予測するするために用いられる、項目１６１に記載の動画像処理装置。
［項目１６５］
上記予測モジュールはさらに、
上記関連ブロック中に動きベクトルが取得不可なサブ画像ブロックが出ており、かつ上記関連ブロックの代表動きベクトルが取得不可である場合、上記関連ブロック中の各サブ画像ブロックの動きベクトルに基づきそれぞれ上記現在画像ブロック中の対応するサブ画像ブロックを予測することを放棄するために用いられる、項目１６４に記載の動画像処理装置。
［項目１６６］
上記予測モジュールはさらに、
上記関連ブロック中のサブ画像ブロックが取得不可であり、または関連ブロック中のサブ画像ブロックがフレーム内符号化モードを用いる場合、該関連ブロックに動きベクトルが取得不可なサブ画像ブロックが出たを確定するために用いられる、項目１６４に記載の動画像処理装置。
［項目１６７］
上記予測モジュールはさらに、
上記動きベクトル第２候補リスト中の上記特定候補以外のそのうちの１つの候補を採用することを確定した場合、アフィン変換モデルに基づき上記採用した候補にアフィン変換を行うことと、
上記アフィン変換後の候補に基づき上記現在画像ブロック中のサブ画像ブロックを予測することとのために用いられる、項目１３７〜１６６のいずれか一項に記載の動画像処理装置。
［項目１６８］
上記動きベクトル第２候補リスト中の上記特定候補以外の少なくとも１つの候補において、各候補は一組のコントロールポイントの動きベクトルを含む、項目１６７に記載の動画像処理装置。
［項目１６９］
上記アフィン変換モデルは４パラメータアフィン変換モデルを含む場合、上記少なくとも１つの候補において、各候補は２つのコントロールポイントの動きベクトルを含み、
上記アフィン変換モデルは６パラメータアフィン変換モデルを含む場合、上記少なくとも１つの候補において、各候補は３つのコントロールポイントの動きベクトルを含む、項目１６８に記載の動画像処理装置。
［項目１７０］
上記構築モジュールはさらに、
上記現在画像ブロックの近傍ブロックから、特定走査順でアフィン変換モードを採用して予測を行う近傍ブロックのコントロールポイント動きベクトル群を確定することと、
それぞれの確定された近傍ブロックのコントロールポイント動きベクトル群を１つの候補として上記動きベクトル第１候補リストに入れることとのために用いられる、項目１３７〜１６９のいずれか一項に記載の動画像処理装置。
［項目１７１］
上記の上記現在画像ブロックの近傍ブロックから、特定走査順でアフィン変換モードを採用して予測を行う近傍ブロックのコントロールポイント動きベクトル群を確定することは、
上記現在の画像ブロックの左側近傍ブロックにおいて第１走査順で第１近傍ブロックのコントロールポイントの動きベクトル群を確定することと、
上記現在の画像ブロックの上側近傍ブロックにおいて第２走査順で第２近傍ブロックのコントロールポイントの動きベクトル群を確定することと、
上記第１近傍ブロックのコントロールポイントの動きベクトル群と上記第２近傍ブロックのコントロールポイントの動きベクトル群を上記動きベクトルの第１候補リストに入れることと、を含む、項目１７０に記載の動画像処理装置。
［項目１７２］
上記構築モジュールはさらに、
上記現在画像ブロックの一部のコントロールポイントの近傍ブロックに基づき上記一部のコントロールポイントの動きベクトルを構築することと、
上記現在画像ブロックの一部のコントロールポイントの動きベクトルを上記動きベクトル第１候補リストに入れるために用いられる、項目１３７〜１７１のいずれか一項に記載の動画像処理装置。
［項目１７３］
上記の上記現在画像ブロックの一部のコントロールポイントの近傍ブロックに基づき上記一部のコントロールポイントの動きベクトルを構築することは、
上記一部のコントロールポイントにおける各コントロールポイントに対し、第３走査順で上記コントロールポイントの特定近傍ブロックを順次走査し、事前設定条件を満たす特定近傍ブロックの動きベクトルを上記コントロールポイントの動きベクトルとすることを含む項目１７２に記載の動画像処理装置。
［項目１７４］
上記構築モジュールはさらに、
上記一部のコントロールポイントの動きベクトルがそれぞれ異なる参照フレームを指す時、上記現在画像ブロックの一部のコントロールポイントの動きベクトルを上記動きベクトル第１候補リストに入れることを放棄するために用いられる、項目１７２または１７３に記載の動画像処理装置。
［項目１７５］
上記構築モジュールはさらに、
上記動きベクトル第１候補リスト中の候補の数量が予め設定された数値より大きい時、上記現在画像ブロックの一部のコントロールポイントの動きベクトルを上記動きベクトル第１候補リストに入れることを放棄するために用いられる、項目１７２または１７３に記載の動画像処理装置。
［項目１７６］
上記構築モジュールはさらに、
動きベクトル第２候補リストを構築し、ここでは、上記動きベクトル第２候補リストに入れる候補は１つの画像ブロックの動きベクトルであり、
上記動きベクトル第２候補リスト中の候補を採用することを確定した場合、上記候補の動きベクトルに基づき上記現在画像ブロックの動きベクトルを確定するために用いられる、項目１３９〜１５１のいずれか一項に記載の動画像処理装置。
［項目１７７］
上記の上記候補の動きベクトルに基づき上記現在画像ブロックの動きベクトルを確定することは、
上記の採用することを確定した候補を上記現在画像ブロックの動きベクトルとし、または上記採用することを確定した候補をスケーリングした後に上記現在画像ブロックの動きベクトルとすることを含む、項目１７６に記載の動画像処理装置。
［項目１７８］
上記の動きベクトル第２候補リストを構築することは、
上記現在画像ブロックの現在画像上でのＭ個の近傍ブロックの動きベクトルに基づき上記動きベクトル第２候補リストに入れる上記Ｍ個の候補を確定することを含む、項目１７６に記載の動画像処理装置。
［項目１７９］
上記構築モジュールはさらに、予め設定された順で順に上記予め設定されたＭ個の近傍ブロックの動きベクトルをそれぞれＭ個の候補として、上記動きベクトル第２候補リストに入れるために用いられ、上記Ｎ個の近傍ブロックとは、上記予め設定された順で最初に確定されたＮ個の近傍ブロックを指すること、
および／または
上記構築モジュールはさらに、上記Ｍ個の近傍ブロック中の１つのまたは複数の近傍ブロックの動きベクトルが取得不可である場合、上記１つのまたは複数の近傍ブロックの動きベクトルに基づき上記動きベクトル第２候補リストに入れる候補を確定することを放棄するために用いられる、項目１７８に記載の動画像処理装置。
［項目１８０］
Ｍは４以下である、項目１３７〜１７９のいずれか一項に記載の動画像処理装置。
［項目１８１］
動画像処理装置であって、メモリとプロセッサを含み、上記メモリは命令を記憶するために用いられ、上記プロセッサは上記メモリに記憶された命令を実行し、上記メモリに記憶された命令を実行することによって、上記プロセッサは項目１〜４６のいずれか一項に記載の方法を実行するために用いられる、動画像処理装置。
［項目１８２］
動画像処理装置であって、メモリとプロセッサを含み、上記メモリは命令を記憶するために用いられ、上記プロセッサは上記メモリに記憶された命令を実行し、上記メモリに記憶された命令を実行することによって、上記プロセッサは項目４７〜９０のいずれか一項に記載の方法を実行するために用いられる、動画像処理装置。
［項目１８３］
コンピュータ記憶媒体であって、それにコンピュータプログラムが記憶され、上記コンピュータプログラムはコンピュータに実行されると、上記コンピュータに項目１〜４６のいずれか一項に記載の方法を実行させる、コンピュータ記憶媒体。
［項目１８４］
コンピュータ記憶媒体であって、それにコンピュータプログラムが記憶され、上記コンピュータプログラムはコンピュータに実行されると、上記コンピュータに項目４７〜９０のいずれか一項に記載の方法を実行させる、コンピュータ記憶媒体。
［項目１８５］
命令を含むコンピュータプログラム製品であって、上記命令がコンピュータに実行されると、コンピュータに項目１〜４６のいずれか一項に記載の方法を実行させる、コンピュータプログラム製品。
［項目１８６］
命令を含むコンピュータプログラム製品であって、上記命令がコンピュータに実行されると、コンピュータに項目４７〜９０のいずれか一項に記載の方法を実行させる、コンピュータプログラム製品。